【手続補正書】
【提出日】平成17年5月19日(2005.5.19)
【手続補正１】
【補正対象書類名】特許請求の範囲
【補正対象項目名】全文
【補正方法】変更
【補正の内容】
【特許請求の範囲】
【請求項１】
四つの側壁（７，８，９）と頂壁（４）とを有するケース（１）を具備し、該ケース（１）が、頂部開口（１７；６３；７３）を備えたカップ状容器（１２）と、該カップ状容器（１２）から頂部開口（１７；６３；７３）を介して部分的に突出するカラー（１８）と、横方向ヒンジ（１３）に沿いカップ状容器（１２）にヒンジ留めされてヒンジ（１３）回りに頂部開口（１７；６３；７３）を閉鎖する閉鎖位置へかつ閉鎖位置から移動可能な蓋（１１）であって、頂壁（４）の少なくとも一部を含んでいる蓋（１１）とを具備し、ケース（１）がブランク材（４４）から形成され、該ブランク材（４４）が、互いに重ね合わされて頂壁（４）を形成する互いにほぼ同一の二つの第１のパネル（４’，４”）と、側壁（７，８，９）を形成すると共に、形状および寸法に関し互いにほぼ同一である多数の第２のパネル（７’，８’，９’，７”，８”）とを有する、横方向開放式ヒンジ蓋付きの硬質小包体（Ａ；Ｂ；Ｃ）において、ブランク材（４４）が、前記第２のパネル（７’，８’，９’，７”，８”）のうち一列に並ぶよう配置された三つのパネルを有することを特徴とする小包体。
【請求項２】
前記カラー（１８）が、前記カップ状容器（１２）と同軸の筒状カラー（１８）であり、該筒状カラーが、前記頂壁（４）に隣接する頂部閉鎖壁（２０；６７；７４）と、前記蓋（１１）に対面するシガレット（２）用通路（２９；７１ａ；８１）と、を有する請求項１に記載の小包体。
【請求項３】
前記通路（２９；７１ａ；８１）が、取り外し可能なパネル（２７；７１；８０）によって閉鎖される請求項２に記載の小包体。
【請求項４】
前記ブランク材（４４）が、一列に並ぶよう配置された多数の主パネル（３’，４’，４”，５１，５２）を具備し、これら主パネルのうち三つのパネル（３’，４’，４”）が、互いにほぼ同一であり、かつ前記二つの第１のパネル（４’，４”）と、前記ケース（１）の底壁（３）を画定する別の主パネル（３’）とからなる請求項１から３のいずれか一項に記載の小包体。
【請求項５】
前記二つの第１のパネル（４’，４”）が前記ブランク材（４４）の両端にそれぞれ位置し、前記別の主パネル（３’）が前記ブランク材（４４）の中間パネル（３’）である請求項４に記載の小包体。
【請求項６】
前記ケース（１）および筒状カラー（１８）が、面取りされた長手方向縁部（６，１０）を有する請求項２から５のいずれか一項に記載の小包体。
【請求項７】
前記ケース（１）および筒状カラー（１８）が、湾曲した長手方向縁部（６０，６１）を有する請求項２から５のいずれか一項に記載の小包体。
【請求項８】
前記ケース（１）および筒状カラー（１８）が、鋭い長手方向縁部（８）を有する請求項２から５のいずれか一項に記載の小包体。
【請求項９】
前記通路（２９；７１ａ；８１）が、前記カラー（１８）の頂部閉鎖壁（２０；６７；７４）の一側部分（２０ｂ）上に拡がる請求項２から８のいずれか一項に記載の小包体。
【請求項１０】
前記通路（７１ａ）が、前記蓋(１１)に隣接する前記頂部閉鎖壁（６７）の一側部分上に拡がる請求項９に記載の小包体。
【請求項１１】
前記頂部閉鎖壁（２０）が固定部分（２０ａ）を具備し、前記通路（２９）が、前記蓋(１１)に関し該固定部分（２０ａ）と反対側に位置している頂部閉鎖壁（２０）の一側部分(２０ｂ)上に拡がる請求項９に記載の小包体。
【請求項１２】
前記通路（２９；７１ａ；８１）が、取り外し可能なパネル（２７；７１；８０）によって閉鎖され、前記取り外し可能なパネル（２７；７１；８０）が側方プルタブ（２８）を具備する請求項１１に記載の小包体。
【請求項１３】
前記通路（８１）が前記頂部閉鎖壁（７４）の中央部分（７４ｂ）上に拡がる請求項９に記載の小包体。
【請求項１４】
内側箔状被包体（３０）をさらに具備し、該内側箔状被包体が、前記通路（２９；７１ａ；８１）に位置する別の取り外し可能なパネル（３１）を具備する請求項２から１３のいずれか一項に記載の小包体。
【請求項１５】
前記カラー（１８）の内部でかつカラー（１８）と前記内側包装体（３０）との間に部分的に収容された引き出し装置（４０）をさらに具備し、該引き出し装置（４０）の一部が、カラー（１８）から前記通路（２９；７１ａ；８１）を介し突出するプルタブ（３９）によって画定される請求項１４に記載の小包体。
【請求項１６】
前記蓋（１１）と前記カラー（１８）との間に介在されて蓋（１１）の前記ヒンジ（１３）回りの角度方向移動を制限するトグル帯（３２）をさらに具備する請求項１から１５のいずれか一項に記載の小包体。
【請求項１７】
前記トグル帯（３２）が前記カラー（１８）の一体部分を形成している請求項１６に記載の小包体。
【請求項１８】
前記トグル帯（３２）が前記ブランク材（４４）の一体部分を形成している請求項１６に記載の小包体。
【請求項１９】
二つの側方案内板（８８）をさらに具備し、各案内板が、前記蓋（１１）の側方内表面と一体になっている第１の部分（８８ａ）と、前記ケース（１）と前記カラー（１８）との間に摺動自在に係合された第２の部分（８８ｂ）とを具備する請求項２から１８のいずれか一項に記載の小包体。
【請求項２０】
頂壁（４）を有するケース（１）を具備し、頂部開口（１７；６３；７３）を備えたカップ状容器（１２）と、該カップ状容器（１２）から頂部開口（１７；６３；７３）を介して部分的に突出するカラー（１８）と、横方向ヒンジ（１３）に沿いカップ状容器（１２）にヒンジ留めされて前記ヒンジ（１３）回りに頂部開口（１７）を閉鎖する閉鎖位置へかつ閉鎖位置から移動可能な蓋（１１）であって、頂壁（４）の少なくとも一部を含んでいる蓋（１１）とを具備する、横方向開放式ヒンジ蓋付きの硬質小包体（Ａ；Ｂ；Ｃ）において、カラー（１８）が、カップ状容器（１２）と同軸の筒状カラー（１８）であり、該筒状カラーが、頂壁（４）に隣接する頂部閉鎖壁（２０；６７；７４）と、蓋（１１）に対面するシガレット（２）用通路（２９；７１ａ；８１）と、を有することを特徴とする小包体。
【請求項２１】
前記通路（２９；７１ａ；８１）が、取り外し可能なパネル（２７；７１；８０）によって閉鎖される請求項２０に記載の小包体。
【請求項２２】
前記ケース（１）がブランク材（４４）から形成され、該ブランク材（４４）が、互いに重ね合わされて前記頂壁（４）を形成する互いにほぼ同一の二つのパネル（４’，４”）を有する請求項２０または２１に記載の小包体。
【請求項２３】
前記ブランク材（４４）が、一列に並ぶよう配置された多数の主パネル（３’，４’，４”，５１，５２）を具備し、これら主パネルのうち三つのパネル（３’，４’，４”）が、互いにほぼ同一であると共に、前記二つのパネル（４’，４”）と、前記ケース（１）の底壁（３）を画定する別の主パネル（３’）とからなる請求項２２に記載の小包体。
【請求項２４】
前記二つのパネル（４’，４”）が前記ブランク材（４４）の両端にそれぞれ位置し、前記別の主パネル（３’）が前記ブランク材（４４）の中間パネル（３’）である請求項２３に記載の小包体。
【請求項２５】
前記ケース（１）および筒状カラー（１８）が、面取りされた長手方向縁部（６，１０）を有する請求項２０から２４のいずれか一項に記載の小包体。
【請求項２６】
前記ケースおよび筒状カラーが、湾曲した長手方向縁部（６０，６１）を有する請求項２０から２４のいずれか一項に記載の小包体。
【請求項２７】
前記ケースおよび筒状カラーが、鋭い長手方向縁部（７２）を有する請求項２０から２４のいずれか一項に記載の小包体。
【請求項２８】
前記通路（２９；７１ａ；８１）が、前記カラー（１８）の頂部閉鎖壁（２０；６７；７４）の一側部分（２０ｂ）上に拡がる請求項２０から２７のいずれか一項に記載の小包体。
【請求項２９】
前記通路（７１ａ）が、前記蓋(１１)に隣接する前記頂部閉鎖壁（６７）の一側部分上に拡がる請求項２８に記載の小包体。
【請求項３０】
前記頂部閉鎖壁（２０）が固定部分（２０ａ）を具備し、前記通路（２９）が、前記蓋(１１)に関し該固定部分（２０ａ）と反対側に位置している頂部閉鎖壁（２０）の一側部分(２０ｂ)上に拡がる請求項２８に記載の小包体。
【請求項３１】
前記通路（２９；７１ａ；８１）が、取り外し可能なパネル（２７；７１；８０）によって閉鎖され、前記取り外し可能なパネル（２７；７１；８０）が側方プルタブ（２８）を具備する請求項３０に記載の小包体。
【請求項３２】
前記通路（８１）が前記頂部閉鎖壁（７４）の中央部分（７４ｂ）上に拡がる請求項２８に記載の小包体。
【請求項３３】
内側箔状被包体（３０）をさらに具備し、該内側箔状被包体が、前記通路（２９；７１ａ；８１）に位置する別の取り外し可能なパネル（３１）を具備する請求項２０から３２のいずれか一項に記載の小包体。
【請求項３４】
前記カラー（１８）の内部でかつカラー（１８）と前記内側包装体（３０）との間に部分的に収容された引き出し装置（４０）をさらに具備し、該引き出し装置（４０）の一部が、カラー（１８）から前記通路（２９；７１ａ；８１）を介し突出するプルタブ（３９）によって画定される請求項３３に記載の小包体。
【請求項３５】
前記蓋（１１）と前記カラー（１８）との間に介在されて蓋（１１）の前記ヒンジ（１３）回りの角度方向移動を制限するトグル帯（３２）をさらに具備する請求項２０から３４のいずれか一項に記載の小包体。
【請求項３６】
前記トグル帯（３２）が前記カラー（１８）の一体部分を形成している請求項３５に記載の小包体。
【請求項３７】
前記トグル帯（３２）が前記ブランク材（４４）の一体部分を形成している請求項３５に記載の小包体。
【請求項３８】
二つの側方案内板（８８）をさらに具備し、各案内板が、前記蓋（１１）の側方内表面と一体になっている第１の部分（８８ａ）と、前記ケース（１）と前記カラー（１８）との間に摺動自在に係合された第２の部分（８８ｂ）とを具備する請求項２０から３７のいずれか一項に記載の小包体。
【請求項３９】
前記筒状カラーが、少なくとも二つのパネルを互いに重ね合わせることにより形成された少なくとも一つの長手方向側壁を具備する請求項２０から３８のいずれか一項に記載の小包体。
【請求項４０】
前記トグル帯（３２）が、多数の折り目線（５９）を有する長手方向付属片（５８）を具備する請求項３５から３７のいずれか一項に記載の小包体。